(57)【特許請求の範囲】
【請求項１】
魚釣りに用いる釣竿であって、
竿体と、
前記竿体に配置された弾性部材製のグリップと、
前記グリップの端部が内部に挿入される、前記グリップの穂先側または竿元側に配置され、内径が竿体の外径に合致するよう固定された金属又は合成樹脂からなる固定リングとを備え、
前記固定リングは、穂先側または竿元側に前記グリップが内部に挿入される挿入部を有し、前記固定リングの外径は、穂先側に配置した場合は前記グリップの穂先側の、竿元側に配置した場合はグリップの竿元側のそれぞれの端面の外径より小さく形成されている、釣竿。
【請求項２】
前記グリップの穂先側または竿元側端面の外径に対する前記固定リングの外径の比は０．９７０以下、０．８００以上である、請求項１に記載の釣竿。
【請求項３】
前記固定リングは内部に挿入される前記グリップを係止する係止手段をさらに備えている、請求項１又は２に記載の釣竿。
【発明の詳細な説明】
【０００１】
【発明の属する技術分野】
本発明は、魚釣りに用いる釣竿に関する。
【０００２】
【従来の技術】
従来の釣竿は、筒状の竿体と、竿体の手元側の端部に配置された竿元グリップと、竿元グリップの穂先側に配置された前グリップと、前グリップと竿元グリップとの間に設けられリールを装着可能なリールシートとを有している。
この前グリップ，竿元グリップは、竿体に接着剤で接着されて固定されている。そして、ユーザはこの前グリップ，竿元グリップを握ってキャスティング等の操作をおこなう。
【０００３】
【発明が解決しようとする課題】
従来の釣竿では、グリップは竿体に直接接着されている。このため、グリップを握ってキャスティングなどを行い竿体の長さ方向に力を加えると、グリップが長さ方向にずれてしまう場合がある。
このような問題に対して、グリップの穂先側に固定リングを設けてグリップの長さ方向へのずれを抑える釣竿が提案されている。しかし、大きな力を長さ方向に加えると、グリップの端部に設けられた固定リングを乗り越えてグリップが長さ方向にずれてしまう場合もあり、十分にグリップのずれを抑えられるものとは言い難い。さらに、グリップのずれを抑えようとして固定リングの外径を大きくすると、ユーザがグリップを把持する場合に、固定リングがユーザの手に触れてグリップ感が低下する。
【０００４】
本発明の課題は、グリップの軸方向へのずれを防止できる釣竿を提供することにある。
本発明の別の課題は、良好なグリップ感を得られる釣竿を提供することにある。
【０００５】
【課題を解決するための手段】
発明１にかかる釣竿は、魚釣りに用いる釣竿であって、竿体と、前記竿体に配置された弾性部材製のグリップと、前記グリップの端部が内部に挿入される、前記グリップの穂先側または竿元側に配置され、内径が竿体の外径に合致するよう固定された金属又は合成樹脂からなる固定リングとを備え、前記固定リングは、穂先側または竿元側に前記グリップが内部に挿入される挿入部を有し、前記固定リングの外径は、穂先側に配置した場合は前記グリップの穂先側の、竿元側に配置した場合はグリップの竿元側のそれぞれの端面の外径より小さく形成されている。この場合には、固定リングの内部に弾性部材製のグリップの端部が挿入されており、固定リングがグリップの長さ方向への移動を抑える。この結果、グリップの長さ方向に大きな力が加わっても、長さ方向にずれることはない。
【０００６】
また、固定リングは、穂先側または竿元側にグリップが内部に挿入される挿入部を有している。この場合には、挿入部にグリップの端部を挿入して固定する。この結果、グリップは十分に固定されて、長さ方向への力を加えてもずれることはない。さらに、固定リングの外径はグリップの穂先側または竿元側端面の外径より小さく形成されている。
【０００７】
この場合には、弾性部材製のグリップの外径が固定リングの外径より大きく形成されており、グリップの端部が固定リング内に挿入されているので、グリップが固定リングに挿入される端部付近でもグリップの外径の方が固定リングの外径より外方に広がった状態になる。この結果、グリップの長さ方向へのずれを抑えると共に、ユーザがグリップを握った場合にユーザの手が固定リングとグリップとの間の段差に引っかかることがなく、グリップ感が向上する。
【０００８】
発明２にかかる釣竿は、発明１の釣竿であって、グリップの穂先側または竿元側端面の外径に対する前記固定リングの外径比は０．９７０以下、０．８００以上である。この場合には、グリップの穂先側または竿元側端面の外径に対する前記固定リングの外径比は０．９７０以下、０．８００以上であり、グリップが固定リングに挿入される端部付近でもグリップの外径の方が固定リングの外径より十分に外方に広がった状態になる。この比が小さくなるほどグリップが固定リングより外方に広がるのでグリップ感はさらに向上する。しかし、この比が過度に小さくなるとグリップを固定リング内に挿入するのが困難になるので、この比の下限は、好ましくは０．８００以上とするのがよい。
【０００９】
発明３にかかる釣竿は、発明１又は２の釣竿であって、固定リングは内部に挿入されるグリップを係止する係止手段をさらに備えている。この場合には、係止手段が固定リング内に挿入されるグリップの端部を係止するので、グリップを固定リング内に容易に挿入でき、製造が容易になる。
【００１０】
【実施の形態】
［第１実施形態］
以下、本発明の第１実施形態について図面を参照しつつ説明する。
本発明の第１実施形態を採用した釣竿は、図１に示すように、筒状の第１竿体１と、第１竿体１の穂先側に順次連結されている筒状の第２竿体２〜第５竿体５とを有している。第１竿体１〜第５竿体５は、それぞれ炭素繊維に強化樹脂を含浸させたプリプレグをマンドレルに巻回し焼成して得られた先細り筒状部材である。
【００１１】
第１竿体１は、竿元側端部に配置された竿元グリップ６と、竿元グリップ６の穂先側に配置された前グリップ８と、竿元グリップ６と前グリップ８との間に設けられリールを装着可能なリールシート７とを有している。また、竿元グリップ６及び前グリップ８の穂先側には、竿元グリップ６，前グリップ８をそれぞれ固定する固定リング９，１０が設けられている。
【００１２】
竿元グリップ６は、図２及び図３に示すように、第１竿体１の竿元側端部に嵌め込まれ、接着剤で接着された蓋付き円筒形状の部材であり、ウレタンゴム等のゴム系弾性体，アクティマー（商標）等のスチレンブロック共重合体，ラバロン（商標），ＥＶＡ等の弾性部材である。一方、固定リング９は、穂先側がやや先細りに形成されたリング状部材であり、アルミニウム，スチール等の金属や、合成樹脂からなる部材である。そして、この固定リング９は、内径が第１竿体１の外径に合致するように形成されている。また、固定リング９の竿元側内周面の一部は他の部分に比較して内径が大きく形成され、この部分は挿入部９ａとなっている。そして、竿元グリップ６は、接着剤で第１竿体１の竿元側端部付近に固定されるとともに、穂先側端部が固定リング９の内部の挿入部９ａに挿入されて固定されており、固定リング９も接着剤で第１竿体１に固定されている。
【００１３】
なお、竿元グリップ６の外径θ１は固定リング９の外径θ２より大きくなるように形成されている。この竿元グリップ６の外径θ１と固定リング９の外径θ２との比は、竿元グリップ６の材質によって様々な値となるが、竿元グリップ６の穂先側端部を固定リング９に挿入してもなお、竿元グリップ６と固定リング９とのつなぎ部付近において竿元グリップ６の外周が固定リングの外周より外方に広がるためには、
（固定リング９の外径θ２）／（竿元グリップ６の外径θ１）≦０．９７０
の範囲にするのがよい。
【００１４】
さらに、グリップ感を良好にし、かつ抜けを防止するためには、上記比を十分に小さくするのが好ましいが、この比が過度に小さくなると竿元グリップ６を固定リング９内に挿入するのが困難になるので、この比の下限は、好ましくは０．８００以上、さらに好ましくは０．８５０以上とするのがよい。
また、図４に示すように、前グリップ８は、穂先側がやや小径の先細りテーパ状の円筒部材であり、元竿グリップ６と同様に、ウレタンゴム，ＥＶＡ等からなる部材である。そして、穂先側端部には挿入部１０ａが形成された固定リング１０が設けられている。この前グリップ８及び固定リング１０のその他の構成は、竿元グリップ６及び固定リング９と同様である。
【００１５】
このように構成された釣竿では、固定リング９，１０が、それぞれ竿元グリップ６，前グリップ８の穂先側端部を挟み込んで、竿元グリップ６，前グリップ８の長さ方向への移動を抑える。また、竿元グリップ６，前グリップ８の外径はそれぞれ固定リング９，１０の外径に比べて大きく形成されているので、竿元グリップ６，前グリップ８を把持した際に固定リング９，１０と各グリップ６，８とのつなぎ部分の段差に手が引っかかることがなく、グリップ感が向上する。
【００１６】
［第２実施形態］
以下、本発明の第２実施形態について、図面を参照しつつ説明する。
本発明の第２実施形態を採用した釣竿の固定リング１０は、図５に示すように、挿入部１０ａに設けられた係止フック（係止手段）２０を有している。この係止フック２０は、金属または合成樹脂からなる部材であって、固定リング１０と一体成型されている。そして、先端部にかえしが設けられている。
【００１７】
なお、その他の構成は、第１実施形態と同様であり、説明を省略する。
このように構成された釣竿では、第１実施形態と同様の作用効果を奏するとともに、係止フック２０が挿入部１０ａに挿入された前グリップ８の穂先側先端に突き刺さって前グリップ８を係止する。この結果、前グリップ８を固定リング内に挿入し易くなり、釣竿の製造が容易になる。さらに、前グリップのずれを効果的に抑える。
【００１８】
［他の実施形態］
（ａ）前グリップの竿元側のみに固定リングを設けてもよい。
また、図６に示すように、前グリップ６の穂先側と竿元側の両端に固定リング１０，１１をそれぞれ設けてもよい。
【００１９】
【発明の効果】
本発明にかかる釣竿によれば、グリップの端部が固定リングに挿入されており、固定リングによって十分に固定されるので、グリップが長さ方向へずれてしまうのを有効に防止できる。また、グリップの外径が固定リングの外径より大きくなるように形成されているので、ユーザの手が固定リングに触れることなくグリップ感が十分に向上する。
【図面の簡単な説明】
【図１】本発明の第１実施形態を採用した釣竿の全体図。
【図２】  図１の竿元グリップ６付近の拡大断面図。
【図３】竿元グリップ６と固定リング９との分解拡大断面部分図。
【図４】図１の前グリップ８付近の拡大断面図。
【図５】本発明の第２実施形態を採用した釣竿の固定リング１０の拡大断面図。
【図６】本発明の他の実施形態を採用した釣竿の前グリップの拡大断面図。
【符号の説明】
１  第１竿体
６  竿元グリップ
８  前グリップ
９，１０  固定リング
９ａ，１０ａ  挿入部
２０  係止フック
【図１】
0004003897.tif 000002
【図２】
0004003897.tif 000003
【図３】
0004003897.tif 000004
【図４】
0004003897.tif 000005
【図５】
0004003897.tif 000006
【図６】
0004003897.tif 000007